(57)【特許請求の範囲】
【請求項１】
第一の情報処理装置において実行されているプログラムを識別するためのプログラム識別情報を取得するプログラム識別情報取得部と、
第二の情報処理装置の構成に関する装置構成情報を取得する装置構成情報取得部と、
取得された前記プログラム識別情報および前記装置構成情報に基づき、前記第二の情報処理装置が実行するプログラムを決定するプログラム決定部と、
決定された前記プログラムを前記第二の情報処理装置に配信するプログラム配信部と、を備え、
前記プログラム決定部は、装置の構成に関する各装置構成情報と、プログラムのバージョンを表すバージョン情報とが、各プログラムを識別するためのプログラム識別情報毎に対応付けられているバージョン情報決定テーブルを参照して、取得された前記プログラム識別情報に関して、取得された前記装置構成情報と一致するバージョン情報を決定し、決定された前記バージョン情報が表すバージョンのプログラムを、前記第二の情報処理装置が実行するプログラムとして決定することを特徴とするプログラム配信システム。
【請求項２】
第一の情報処理装置において実行されているプログラムを識別するためのプログラム識別情報を取得するプログラム識別情報取得部と、
第二の情報処理装置の構成に関する装置構成情報を取得する装置構成情報取得部と、
取得された前記プログラム識別情報および前記装置構成情報に基づき、前記第二の情報処理装置が実行するプログラムを決定するプログラム決定部と、
決定された前記プログラムを前記第二の情報処理装置に配信するプログラム配信部と、を備え、
前記第二の情報処理装置において、配信された前記プログラムを実行するプログラム実行部を備えることを特徴とするプログラム配信システム。
【請求項３】
前記第二の情報処理装置において、前記第一の情報処理装置において実行されている前記プログラムに関連付けられているデータを識別するためのデータ識別情報を取得するデータ識別情報取得部を備え、
前記プログラム実行部は、取得された前記データ識別情報に基づき、配信された前記プログラムを実行することを特徴とする請求項２に記載のプログラム配信システム。
【請求項４】
第一の情報処理装置において実行されているプログラムを識別するためのプログラム識別情報を取得するプログラム識別情報取得部と、
第二の情報処理装置の構成に関する装置構成情報を取得する装置構成情報取得部と、
取得された前記プログラム識別情報および前記装置構成情報に基づき、前記第二の情報処理装置が実行するプログラムを決定するプログラム決定部と、
決定された前記プログラムを前記第二の情報処理装置に配信するプログラム配信部と、を備え、
前記プログラム識別情報取得部は、前記第二の情報処理装置を介して前記第一の情報処理装置から前記プログラム識別情報を取得し、
前記第一の情報処理装置と前記第二の情報処理装置とは、近距離通信インタフェースを介して接続されていることを特徴とするプログラム配信システム。
【請求項５】
第一の情報処理装置において実行されているプログラムを識別するためのプログラム識別情報を取得するプログラム識別情報取得部と、
第二の情報処理装置の構成に関する装置構成情報を取得する装置構成情報取得部と、
取得された前記プログラム識別情報および前記装置構成情報に基づき、前記第二の情報処理装置が実行するプログラムを決定するプログラム決定部と、
決定された前記プログラムを前記第二の情報処理装置に配信するプログラム配信部と、を備え、
前記プログラム決定部は、装置の構成に関する各装置構成情報と、プログラムのバージョンを表すバージョン情報とが、各プログラムを識別するためのプログラム識別情報毎に対応付けられているバージョン情報決定テーブルを参照して、取得された前記プログラム識別情報に関して、取得された前記装置構成情報と一致するバージョン情報を決定し、決定された前記バージョン情報が表すバージョンのプログラムを、前記第二の情報処理装置が実行するプログラムとして決定することを特徴とするプログラム配信装置。
【請求項６】
第一の情報処理装置において実行されているプログラムを識別するためのプログラム識別情報を取得し、
第二の情報処理装置の構成に関する装置構成情報を取得し、
取得された前記プログラム識別情報および前記装置構成情報に基づき、前記第二の情報処理装置が実行するプログラムを決定するときは、装置の構成に関する各装置構成情報と、プログラムのバージョンを表すバージョン情報とが、各プログラムを識別するためのプログラム識別情報毎に対応付けられているバージョン情報決定テーブルを参照して、取得された前記プログラム識別情報に関して、取得された前記装置構成情報と一致するバージョン情報を決定し、決定された前記バージョン情報が表すバージョンのプログラムを、前記第二の情報処理装置が実行するプログラムとして決定し、
決定された前記プログラムを前記第二の情報処理装置に配信することを特徴とするプログラム配信方法。
【請求項７】
利用者毎に設定された内容に、標準搭載されていない機能に関する設定の内容が含まれる場合、前記利用者毎に設定された内容、及び、前記機能を実現するためのデータを取得するための取得先が記述された設定情報を生成する設定情報生成部を備える第一の情報処理装置と、
生成された前記設定情報を前記第一の情報処理装置から取得し、取得した前記設定情報を第二の情報処理装置に送信する設定情報取得送信部を備える第三の情報処理装置と、
前記第三の情報処理装置から送信されてきた前記設定情報に記述されている前記取得先から前記データを取得するデータ取得部を備える第二の情報処理装置と、を備えることを特徴とする情報処理システム。
【請求項８】
前記設定情報取得送信部は、生成された前記設定情報と共に、前記データを前記第一の情報処理装置から取得して、前記第二の情報処理装置に送信することを特徴とする請求項７に記載の情報処理システム。
【請求項９】
前記第二の情報処理装置は、前記第三の情報処理装置から送信されてきた前記設定情報に記述されている内容に基づく処理を実行する処理実行部を備えることを特徴とする請求項７又は８に記載の情報処理システム。
【請求項１０】
生成された前記設定情報を記憶する設定情報記憶部を備え、
前記設定情報生成部は、生成される前記設定情報に、前記設定情報を一意に識別するための設定情報識別子と前記設定情報の生成日時とを付与し、
前記第二の情報処理装置は、
前記第三の情報処理装置から送信された前記設定情報に付与されている前記設定情報識別子と同じ設定情報識別子が付与されている設定情報を前記設定情報記憶部から取得する設定情報取得部と、
前記第三の情報処理装置から送信されてきた前記設定情報に付与されている生成日時と、前記設定情報記憶部から取得された前記設定情報に付与されている生成日時とを比較する生成日時比較部と、を備え、
前記処理実行部は、前記生成日時の比較の結果、新しい生成日時が付与されている方の設定情報に記述されている内容に基づく処理を実行することを特徴とする請求項９に記載の情報処理システム。
【請求項１１】
前記設定情報取得送信部は、生成された前記設定情報を前記第一の情報処理装置から近距離通信インタフェースを介して取得し、近距離通信インタフェースを介して取得した前記設定情報を前記第三の情報処理装置に送信することを特徴とする請求項７乃至１０いずれか１項に記載の情報処理システム。
【発明の詳細な説明】
【技術分野】
【０００１】
本発明は、プログラム配信システム、プログラム配信装置、プログラム配信方法、情報処理システムに関する。
【背景技術】
【０００２】
プログラムに従って処理を実行することにより所定の機能を提供する情報処理装置が知られている（例えば、特許文献１を参照）。そして、ユーザは、このような情報処理装置により提供される上記所定の機能を利用するためには、上記プログラムを情報処理装置にインストールする必要がある。
【発明の概要】
【発明が解決しようとする課題】
【０００３】
ところが、情報処理装置へのプログラムのインストール作業は、ユーザにとって煩雑であるといった問題がある。
【０００４】
本発明は、このような課題を解決するためになされたものであり、情報処理装置へのプログラムのインストール作業を簡略化することを目的とする。
【課題を解決するための手段】
【０００５】
上記課題を解決するために、本発明の一態様は、第一の情報処理装置において実行されているプログラムを識別するためのプログラム識別情報を取得するプログラム識別情報取得部と、第二の情報処理装置の構成に関する装置構成情報を取得する装置構成情報取得部と、取得された前記プログラム識別情報および前記装置構成情報に基づき、前記第二の情報処理装置が実行するプログラムを決定するプログラム決定部と、決定された前記プログラムを前記第二の情報処理装置に配信するプログラム配信部と、を備え、前記プログラム決定部は、装置の構成に関する各装置構成情報と、プログラムのバージョンを表すバージョン情報とが、各プログラムを識別するためのプログラム識別情報毎に対応付けられているバージョン情報決定テーブルを参照して、取得された前記プログラム識別情報に関して、取得された前記装置構成情報と一致するバージョン情報を決定し、決定された前記バージョン情報が表すバージョンのプログラムを、前記第二の情報処理装置が実行するプログラムとして決定することを特徴とする。
【発明の効果】
【０００６】
本発明によれば、情報処理装置へのプログラムのインストール作業を簡略化することができる。
【図面の簡単な説明】
【０００７】
【図１】本発明の実施形態に係る画像形成システムの運用形態の例を示す図である。
【図２】本発明の実施形態に係る第一の情報処理装置、第二の情報処理装置、プログラム配信サーバのハードウェア構成を模式的に示すブロック図である。
【図３】本発明の実施形態に係る第一の情報処理装置の機能構成を模式的に示すブロック図である。
【図４】本発明の実施形態に係るプログラム記憶部に記憶されているプログラム及びプログラムＩＤの一例を示す図である。
【図５】本発明の実施形態に係るデータ記憶部に記憶されている画像データの一例を示す図である。
【図６】本発明の実施形態に係る第二の情報処理装置の機能構成を模式的に示すブロック図である。
【図７】本発明の実施形態に係る装置構成情報記憶部に記憶されている装置構成情報の一例を示す図である。
【図８】本発明の実施形態に係るプログラム配信サーバの機能構成を模式的に示すブロック図である。
【図９】本発明の実施形態に係るプログラム記憶部に記憶されている最適バージョン決定テーブルの一例を示す図である。
【図１０】本発明の実施形態に係るプログラム配信システムがプログラムを配信する際の処理を説明するための図である。
【図１１】本発明の実施形態に係る第二の情報処理装置の操作表示部の構成例を示す図である。
【図１２】本発明の実施形態に係るプログラム配信システムの運用形態の例を示す図である。
【図１３】本発明の実施形態に係るＭＦＰ１が操作表示部に表示するホーム画面の表示例を示す図である。
【図１４】本発明の実施形態に係るＭＦＰ１が操作表示部に表示するホーム画面の表示例を示す図である。
【図１５】本発明の実施形態に係るモバイル端末の機能構成を模式的に示すブロック図である。
【図１６】本発明の実施形態に係るＭＦＰの機能構成を模式的に示すブロック図である。
【図１７】本発明の実施形態に係るアプリ記憶情報のデータ構成の一例を示す図である。
【図１８】本発明の実施形態に係るアイコン記憶情報のデータ構成の一例を示す図である。
【図１９】本発明の実施形態に係るアイコン設定情報のデータ構成の一例を示す図である。
【図２０】本発明の実施形態に係るアイコン画像配置情報のデータ構成の一例を示す図である。
【図２１】本発明の実施形態に係るカスタマイズ設定情報管理サーバの機能構成を模式的に示すブロック図である。
【図２２】本発明の実施形態に係るアイコン画像配信サーバの機能構成を模式的に示すブロック図である。
【図２３】本発明の実施形態に係るＭＦＰがカスタマイズ設定情報を生成する際の処理を説明するためのフローチャートである。
【図２４】本発明の実施形態に係るＭＦＰが生成したカスタマイズ設定情報のデータ構成の一例を示す図である。
【図２５】本発明の実施形態に係るモバイル端末がＭＦＰからカスタマイズ設定情報を取得する際の処理を説明するためのシーケンス図である。
【図２６】本発明の実施形態に係るＭＦＰにおいてユーザがホーム画面カスタマイズ機能を使用する際の処理を説明するためのシーケンス図である。
【図２７】本発明の実施形態に係るＭＦＰにおいてユーザがカスタム画面をカスタマイズする際の処理を説明するためのシーケンス図である。
【図２８】本発明の実施形態に係るＭＦＰが生成した変更後のカスタマイズ設定情報のデータ構成の一例を示す図である。
【図２９】本発明の実施形態に係るＭＦＰにおいてユーザがホーム画面カスタマイズ機能を利用する際の処理を説明するためのシーケンス図である。
【図３０】本発明の実施形態に係るＭＦＰにおいてユーザがホーム画面カスタマイズ機能を利用する際の処理を説明するためのシーケンス図である。
【発明を実施するための形態】
【０００８】
実施の形態１．
本実施形態においては、ユーザが利用している第一の情報処理装置にインストールされているプログラムを、その第一の情報処理装置とは異なる構成を備える第二の情報処理装置にインストールする場合について説明する。
【０００９】
このような場合、第一の情報処理装置と第二の情報処理装置とで構成が異なるため、同一のプログラムではあっても、ユーザは、装置毎に最適化されたバージョンのプログラムをインストールする必要がある。
【００１０】
そのため、このような場合、従来においては、ユーザは、第一の情報処理装置にインストールされているプログラムの名称及びその版を確認し、それらと一致するプログラムを検索しなければならない。そして、ユーザは、このようにして検索したプログラムの第二の情報処理装置向けに最適化されたバージョンを検索し、このような手順で検索したバージョンのプログラムを第二の情報処理装置にインストールしなければならない。
【００１１】
このように、ユーザは、第一の情報処理装置にインストールされているプログラムを、その第一の情報処理装置とは異なる構成を備える第二の情報処理装置にインストールする場合、煩雑な作業を行わなくてはならない。
【００１２】
例えば、ユーザが、画像データを表示するためのアルバムアプリを使用してスマートフォン上で閲覧している画像データを印刷するために、そのアルバムアプリをＭＦＰ（Ｍｕｌｔｉ  Ｆｕｎｃｔｉｏｎ  Ｐｅｒｉｐｈｅｒａｌ：複合機）にもインストールしたいといった場合を想定してみる。
【００１３】
即ち、ユーザが、スマートフォンにインストールされているアルバムアプリをＭＦＰにもインストールすることで、スマートフォン上に表示されている画像データをＭＦＰに印刷させたいといった場合を想定してみる。
【００１４】
このような場合、スマートフォンとＭＦＰとで構成が異なるため、スマートフォン用に最適化されたアルバムアプリと、ＭＦＰ用に最適化されたアルバムアプリとでは、同一のアプリであってもそのバージョンは異なることになる。
【００１５】
例えば、スマートフォンは、表示画面が小さい、物理ボタンが少ないなどユーザインタフェースが限られている。そのため、スマートフォン用のアルバムアプリは、ユーザインタフェースが限られていることに対して最適化されている。
【００１６】
一方、ＭＦＰは、スマートフォンにはない機能、例えば、印刷機能などを備えていたり、表示画面が大きい、物理ボタンが多いなどスマートフォンに比べてユーザインタフェースに余裕があったりする。そのため、ＭＦＰ用のアルバムアプリは、印刷機能を備えること、及び、ユーザインタフェースに余裕があることに対して最適化されている。
【００１７】
このように、スマートフォン用に最適化されたアルバムアプリと、ＭＦＰ用に最適化されたアルバムアプリとでは、同一のアプリであってもそのバージョンが異なることになる。
【００１８】
従って、ユーザは、同一のアルバムアプリであっても、装置毎に最適化されたバージョンのアルバムアプリをインストールする必要がある。
【００１９】
そのため、このような場合、従来においては、ユーザは、スマートフォンにインストールされているアルバムアプリの名称及びその版を確認し、それらと一致するアルバムアプリを検索しなければならない。そして、ユーザは、このようにして検索したアルバムアプリのＭＦＰ向けに最適化されたバージョンを検索し、このような手順で検索したアルバムアプリをＭＦＰにインストールしなければならない。
【００２０】
このように、ユーザは、スマートフォンにインストールされているアルバムアプリを、ＭＦＰにインストールする場合、煩雑な作業を行わなくてはならない。
【００２１】
そこで、本実施形態においては、第一の情報処理装置にインストールされているプログラムの第二の情報処理装置へのインストール作業を簡略化することを目的としている。従って、本実施形態に係るプログラム配信システムにおいては、ユーザは、簡単な操作で、第一の情報処理装置で利用しているプログラムが提供する機能を第二の情報処理装置においても利用することが可能となる。
【００２２】
以下、図面を参照して、本発明の実施形態を詳細に説明する。まず、本実施形態に係るプログラム配信システムの運用形態について、図１を参照して説明する。図１は、本実施形態に係るプログラム配信システムの運用形態の例を示す図である。
【００２３】
図１に示すように、本実施形態に係るプログラム配信システムは、第一の情報処理装置１、プログラム配信サーバ３がネットワーク４を介して接続され、第一の情報処理装置１、第二の情報処理装置２が近距離通信回線５を介して接続されて構成されている。
【００２４】
第一の情報処理装置１、第二の情報処理装置２は、ＭＦＰ、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）、スマートウォッチやスマートグラスなどのウェアラブルデバイス、スマートフォン、スマートデバイス、タブレット端末、プロジェクタ、デジタルカメラ、テレビ受像機、ナビゲーション装置などの情報処理装置である。尚、本実施形態においては、第一の情報処理装置と第二の情報処理装置とで構成が異なるものとする。
【００２５】
プログラム配信サーバ３は、第一の情報処理装置１、第二の情報処理装置２からアクセス可能な共有サーバであり、第一の情報処理装置１、第二の情報処理装置２からの要求に応じてプログラムを配信する。即ち、本実施形態においては、プログラム配信サーバ３がプログラム配信装置として機能する。
【００２６】
ネットワーク４は、例えば、ＬＡＮ（Ｌｏｃａｌ  Ａｒｅａ  Ｎｅｔｗｏｒｋ）等の限定されたネットワークや、ＷＡＮ（Ｗｉｄｅ  Ａｒｅａ  Ｎｅｔｗｏｒｋ）、インターネット、公衆回線などの広域ネットワークである。
【００２７】
近距離通信回線５は、例えば、ＮＦＣ（Ｎｅａｒ  Ｆｉｅｌｄ  Ｃｏｍｍｕｎｉｃａｔｉｏｎ）、Ｗｉ−Ｆｉ（Ｗｉｒｅｌｅｓｓ  Ｆｉｄｅｌｉｔｙ）（登録商標）、Ｗｉ−Ｆｉ（登録商標）ダイレクト、無線ＬＡＮ、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）（登録商標）、赤外線通信、Ｗｉｒｅｌｅｓｓ  ＵＳＢ（Ｕｎｉｖｅｒｓａｌ  Ｓｅｒｉａｌ  Ｂｕｓ）、人体通信などの近距離通信回線である。
【００２８】
次に、本実施形態に係る第一の情報処理装置１、第二の情報処理装置２、プログラム配信サーバ３のハードウェア構成について、図２を参照して説明する。図２は、第一の情報処理装置１、第二の情報処理装置２、プログラム配信サーバ３のハードウェア構成を模式的に示すブロック図である。
【００２９】
図２に示すように、本実施形態に係る第一の情報処理装置１、第二の情報処理装置２、プログラム配信サーバ３はそれぞれ、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ３０、ＨＤＤ（Ｈａｒｄ  Ｄｉｓｋ  Ｄｒｉｖｅ）４０、操作表示装置Ｉ／Ｆ５０、専用デバイスＩ／Ｆ６０、ネットワークＩ／Ｆ７０、近距離通信Ｉ／Ｆ８０、外部Ｉ／Ｆ９０、がバス１００を介して接続されて構成されている。
【００３０】
また、操作表示装置Ｉ／Ｆ５０には操作表示装置５１が、専用デバイスＩ／Ｆ６０には専用デバイス６１が接続されている。
【００３１】
ＣＰＵ１０は演算手段であり、第一の情報処理装置１、第二の情報処理装置２、プログラム配信サーバ３全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。
【００３２】
ＨＤＤ４０は、情報の読み書きが可能な不揮発性の記憶媒体であり、文書データや画像データ等の各種データや、ＯＳ（Ｏｐｅｒａｔｉｎｇ  Ｓｙｓｔｅｍ）、デバイスドライバ、アプリケーションソフトウェアなどの各種プログラムを格納する。尚、第一の情報処理装置１、第二の情報処理装置２が、ウェアラブルデバイスやタブレット端末、スマートフォン等の小型のデバイスである場合、ＨＤＤ４０に代えて、ＮＡＮＤ型フラッシュメモリやＮＶＲＡＭ（Ｎｏｎ  Ｖｏｌａｔｉｌｅ  ＲＡＭ）等の不揮発性の記憶媒体を備えるように構成されていても良い。
【００３３】
操作表示装置Ｉ／Ｆ５０は、バス１００と操作表示装置５１とを接続するためのインタフェースである。
【００３４】
操作表示装置５１は、ユーザが第一の情報処理装置１、第二の情報処理装置２、プログラム配信サーバ３の状態を確認するための視覚的ユーザインタフェースであり、ＬＣＤ（Ｌｉｑｕｉｄ  Ｃｒｙｓｔａｌ  Ｄｉｓｐｌａｙ）などの表示装置によって実現される。また、操作表示装置５１は、ユーザが第一の情報処理装置１、第二の情報処理装置２、プログラム配信サーバ３に情報を入力するためのユーザインタフェースであり、キーボードやマウス、タッチパネルなどの入力装置によって実現される。
【００３５】
専用デバイスＩ／Ｆ６０は、バス１００と専用デバイス６１とを接続するためのインタフェースである。
【００３６】
専用デバイス６１は、第一の情報処理装置１、第二の情報処理装置２、プログラム配信サーバ３において専用の機能を実現するためのハードウェアである。例えば、第一の情報処理装置１、第二の情報処理装置２が画像形成装置である場合、専用デバイス６１は、プリンタ、ファクシミリ、スキャナ、複写機において専用の機能を実現するためのハードウェアである。
【００３７】
ネットワークＩ／Ｆ７０は、バス１００とネットワーク４とを接続し、第一の情報処理装置１、第二の情報処理装置２、プログラム配信サーバ３がそれぞれ、ネットワーク４を介して他の装置にアクセスするためのインタフェースである。ネットワークＩ／Ｆ７０は、ＬＡＮ、ＷＡＮ、インターネット、公衆回線などのインタフェースが用いられる。
【００３８】
近距離通信Ｉ／Ｆ８０は、バス１００と近距離通信回線５とを接続し、第一の情報処理装置１、第二の情報処理装置２、プログラム配信サーバ３がそれぞれ、近距離通信回線５を介して他の装置にアクセスするためのインタフェースである。近距離通信Ｉ／Ｆ８０は、ＮＦＣ、Ｗｉ−Ｆｉ（登録商標）無線ＬＡＮ、Ｂｌｕｅｔｏｏｔｈ（登録商標）、ＩｒＤＡ（登録商標）、赤外線通信、Ｗｉｒｅｌｅｓｓ  ＵＳＢ、人体通信などの近距離通信用のインタフェースが用いられる。
【００３９】
外部Ｉ／Ｆ９０は、第一の情報処理装置１、第二の情報処理装置２、プログラム配信サーバ３がそれぞれ、他の機器と通信するためのインタフェースである。外部Ｉ／Ｆ９０は、ＵＳＢ（Ｕｎｉｖｅｒｓａｌ  Ｓｅｒｉａｌ  Ｂｕｓ）、ＰＣＩｅ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）、ＡＴＡ（Ａｄｖａｎｃｅｄ  Ｔｅｃｈｎｏｌｏｇｙ  Ａｔｔａｃｈｍｅｎｔ）などのインタフェースが用いられる。
【００４０】
このようなハードウェア構成において、ＲＯＭ３０やＨＤＤ４０、ＵＳＢメモリ、光学ディスクなどの記憶装置に格納されたプログラムがＲＡＭ２０に読み出され、ＣＰＵ１０がＲＡＭ２０にロードされたプログラムに従って演算を行うことにより、ソフトウェア制御部が構成される。このようにして構成されたソフトウェア制御部と、ハードウェアとの組み合わせによって、本実施形態に係る第一の情報処理装置１、第二の情報処理装置２、プログラム配信サーバ３の機能を実現する機能ブロックが構成される。
【００４１】
次に、本実施形態に係る第一の情報処理装置１の機能構成について、図３を参照して説明する。図３は、本実施形態に係る第一の情報処理装置１の機能構成を模式的に示すブロック図である。
【００４２】
図３に示すように、本実施形態に係る第一の情報処理装置１は、操作表示部１０１、操作表示制御部１０２、プログラム記憶部１０３、プログラム実行部１０４、データ記憶部１０５、インストール要求部１０６、データ検索部１０７、近距離通信制御部１０８を備える。
【００４３】
操作表示部１０１は、第一の情報処理装置１の状態を視覚的に表示する出力インタフェースであると共に、タッチパネルとしてユーザが第一の情報処理装置１を直接操作し、若しくは、第一の情報処理装置１に対して情報を入力する際の入力インタフェースでもある。即ち、操作表示部１０１は、ユーザによる操作を受けるための画像を表示する機能を含む。
【００４４】
操作表示制御部１０２は、操作表示部１０１に情報表示を行い、若しくは、操作表示部１０１を介して入力された第一の情報処理装置１の各部に通知する。
【００４５】
プログラム記憶部１０３は、第一の情報処理装置１において実行することが可能なプログラム、即ち、第一の情報処理装置１にインストールされているプログラムを記憶し、また、記憶している各プログラムを識別するためのプログラムＩＤを記憶する。
【００４６】
ここで、プログラム記憶部１０３に記憶されているプログラム及びプログラムＩＤについて、図４を参照して説明する。図４は、本実施形態に係るプログラム記憶部１０３に記憶されているプログラム及びプログラムＩＤの一例を示す図である。尚、図４において、Ｐｒｏｇｒａｍ０１〜Ｐｒｏｇｒａｍ０９はそれぞれ、各プログラムのプログラムＩＤを表す。
【００４７】
プログラム実行部１０４は、プログラム記憶部１０３に記憶されているプログラムを読み出して実行し、実行中のプログラムが処理の対象とするデータをデータ記憶部１０５から読み出して処理する。
【００４８】
データ記憶部１０５は、画像データや文書データなど、プログラム実行部１０４において実行中のプログラムによる処理の対象となるデータを記憶し、また、記憶している各データを識別するためのデータ付帯情報を記憶する。尚、このデータ記憶部１０５に記憶されているデータは、プログラム毎の専用のデータではなく、各プログラムがアクセスすることが可能なデータとして、プログラム毎に関連付けられているデータである。
【００４９】
例えば、プログラム実行部１０４において実行されているプログラムがアルバムアプリである場合について、図５を参照して説明する。図５は、本実施形態に係るデータ記憶部１０５に記憶されている画像データの一例を示す図である。尚、図５において、ＩＭＧ０１〜ＩＭＧ０９はそれぞれ、各画像データのデータ付帯情報を表す。
【００５０】
このような場合、プログラム実行部１０４は、図５に示すように、アルバムアプリに関連付けられている画像データをデータ記憶部１０５から読み出して、読み出した画像データに画像処理を施し、その画像データを操作表示部１０１に表示するように操作表示制御部１０２に指示する。これにより、操作表示部１０１に画像データが表示される。
【００５１】
インストール要求部１０６は、プログラム実行部１０４が実行しているプログラムを第二の情報処理装置２にインストールさせるためのインストール要求を第二の情報処理装置に対して行う。このとき、インストール要求部１０６は、実行中のプログラムのプログラムＩＤ、及び、そのプログラムが処理の対象とするデータ、即ち、そのプログラムに関連付けられているデータのデータ付帯情報をそれぞれプログラム記憶部１０３、及び、データ記憶部１０５から取得して第二の情報処理装置２に送信する。
【００５２】
データ検索部１０７は、第二の情報処理装置２からのデータ取得要求に応じて、データ記憶部１０５からデータを検索し、検索したデータをデータ取得要求元の第二の情報処理装置２に送信する。
【００５３】
近距離通信制御部１０８は、第一の情報処理装置１の各部が第二の情報処理装置２に向けて送信するべきデータを、近距離通信回線５を介して第二の情報処理装置２に送信する。また、近距離通信制御部１０８は、第二の情報処理装置２から近距離通信回線５を介して送信されてきたデータを、第一の情報処理装置１の各部に入力する。
【００５４】
次に、本実施形態に係る第二の情報処理装置２の機能構成について、図６を参照して説明する。図６は、本実施形態に係る第二の情報処理装置２の機能構成を模式的に示すブロック図である。
【００５５】
図６に示すように、本実施形態に係る第二の情報処理装置２は、操作表示部２０１、操作表示制御部２０２、装置構成情報記憶部２０３、プログラム配信要求部２０４、ネットワーク制御部２０５、インストール部２０６、プログラム記憶部２０７、プログラム実行部２０８、データ取得要求部２０９、近距離通信制御部２１０を備える。
【００５６】
操作表示部２０１は、第二の情報処理装置２の状態を視覚的に表示する出力インタフェースであると共に、タッチパネルとしてユーザが第一の情報処理装置１を直接操作し、若しくは、第二の情報処理装置２に対して情報を入力する際の入力インタフェースでもある。即ち、操作表示部２０１は、ユーザによる操作を受けるための画像を表示する機能を含む。
【００５７】
操作表示制御部２０２は、操作表示部２０１に情報表示を行い、若しくは、操作表示部１０１を介して入力された第二の情報処理装置２の各部に通知する。
【００５８】
装置構成情報記憶部２０３は、第二の情報処理装置２の装置構成情報を記憶する。ここで、装置構成情報記憶部２０３に記憶されている装置構成情報について、図７を参照して説明する。図７は、本実施形態に係る装置構成情報記憶部２０３に記憶されている装置構成情報の一例を示す図である。図７に示すように、本実施形態に係る装置構成情報記憶部２０３に記憶されている装置構成情報は、第二の情報処理装置２の構成に関する情報である。
【００５９】
プログラム配信要求部２０４は、第一の情報処理装置１からのインストール要求に応じて、インストールするべきプログラムをプログラム配信サーバ３に配信させるためのプログラム配信要求をプログラム配信サーバ３に対して行う。このとき、プログラム配信要求部２０４は、第一の情報処理装置１から送信されてきたプログラムＩＤ、及び、装置構成情報記憶部２０３から取得した装置構成情報をプログラム配信サーバ３に送信する。
【００６０】
ネットワーク制御部２０５は、第二の情報処理装置２の各部がプログラム配信サーバ３に向けて送信するべきデータを、ネットワーク４を介してプログラム配信サーバ３に送信する。また、ネットワーク制御部２０５は、プログラム配信サーバ３からネットワーク４を介して送信されてきたデータを、第二の情報処理装置２の各部に入力する。
【００６１】
インストール部２０６は、プログラム配信サーバ３により配信されたプログラムをプログラム記憶部２０７に記憶させる、即ち、第二の情報処理装置２にインストールする。
【００６２】
プログラム記憶部２０７は、第二の情報処理装置２において実行することが可能なプログラム、即ち、第二の情報処理装置２にインストールされているプログラムを記憶する。
【００６３】
プログラム実行部２０８は、プログラム記憶部２０７に記憶されているプログラムを読み出して実行し、実行中のプログラムが処理の対象とするデータを、データ取得要求部２０９に第一の情報処理装置から取得させて処理する。
【００６４】
データ取得要求部２０９は、プログラム実行部２０８から処理の対象となるデータの取得が指示されると、第一の情報処理装置１から送信されてきたデータ付帯情報により識別されるデータを取得するためのデータ取得要求を第一の情報処理装置に対して行う。即ち、本実施形態においては、データ取得要求部２０９が、データ識別情報としてのデータ付帯情報を取得するデータ識別情報取得部として機能する。
【００６５】
近距離通信制御部２１０は、第二の情報処理装置２の各部が第一の情報処理装置１に向けて送信するべきデータを、近距離通信回線５を介して第一の情報処理装置１に送信する。また、近距離通信制御部１０８は、第一の情報処理装置１から近距離通信回線５を介して送信されてきたデータを、第二の情報処理装置２の各部に入力する。
【００６６】
次に、本実施形態に係るプログラム配信サーバ３の機能構成について、図８を参照して説明する。図８は、本実施形態に係るプログラム配信サーバ３の機能構成を模式的に示すブロック図である。
【００６７】
図８に示すように、本実施形態に係るプログラム配信サーバ３は、ネットワーク制御部３０１、プログラム配信部３０２、プログラム記憶部３０３を備える。
【００６８】
ネットワーク制御部３０１は、プログラム配信サーバ３の各部が第二の情報処理装置に向けて送信するべきデータを、ネットワーク４を介して第二の情報処理装置に送信する。また、ネットワーク制御部３０１は、第二の情報処理装置２からネットワーク４を介して送信されてきたデータを、プログラム配信サーバ３の各部に入力する。
【００６９】
プログラム配信部３０２は、第二の情報処理装置２からのプログラム配信要求に応じて、プログラム記憶部３０３からプログラムを検索し、検索したプログラムをプログラム配信要求元の第二の情報処理装置２に送信する。即ち、本実施形態においては、プログラム配信要求部２０４が、プログラム識別情報としてのプログラムＩＤを取得するプログラム識別情報取得部、装置構成情報取得部として機能する。
【００７０】
プログラム記憶部３０３は、第二の情報処理装置２からのプログラム配信要求に応じて配信するためのプログラム、及び、最適バージョン決定テーブルを記憶する。ここで、本実施形態に係るプログラム記憶部３０３に記憶されている最適バージョン決定テーブルについて、図９を参照して説明する。図９は、本実施形態に係るプログラム記憶部３０３に記憶されている最適バージョン決定テーブルの一例を示す図である。
【００７１】
図９に示すように、本実施形態に係るプログラム記憶部３０３に記憶されている最適バージョン決定テーブルは、各装置構成情報とその装置構成情報を有する装置向けに最適化されたプログラムのバージョン情報とが、プログラムＩＤ毎に対応付けられたテーブルである。
【００７２】
プログラム配信部３０２は、この最適バージョン決定テーブルを参照することで、第二の情報処理装置２から送信されてきたプログラムＩＤに関して、共に送信されてきた装置構成情報に合致する最適バージョンを決定する。即ち、本実施形態においては、プログラム配信部３０２が、最適バージョン決定テーブルとしてのバージョン情報決定テーブルを参照することでプログラムを決定するプログラム決定部として機能する。
【００７３】
そして、プログラム配信部３０２は、決定した最適バージョンのプログラムを、第二の情報処理装置に最適化されたバージョンのプログラムとして、プログラム記憶部３０３から検索して第二の情報処理装置に配信する。
【００７４】
従って、例えば、第二の情報処理装置２から送信されてきたプログラムＩＤがＰｒｏｇｒａｍ０１であり、装置構成情報が図７に示す内容である場合、プログラム配信部３０２は、Ｐｒｏｇｒａｍ０１につき、Ｖｅｒ．Ｐａｎｅｌ０２のプログラムを配信する。
【００７５】
尚、プログラム配信部３０２は、第二の情報処理装置２から送信されてきた装置構成情報が最適バージョン決定テーブルのいずれにも合致しない場合、その他のバージョンとして、Ｖｅｒ．Ｇｅｎｅｒｉｃを配信する。
【００７６】
次に、本実施形態に係るプログラム配信システムがプログラムを配信する際の処理について、図１０を参照して説明する。図１０は、本実施形態に係るプログラム配信システムプログラムを配信する際の処理を説明するための図である。
【００７７】
図１０に示すように、本実施形態に係るプログラム配信システムがプログラムを配信する際にはまず、ユーザは、操作表示部１０１において第一の情報処理装置を操作することでプログラムを実行するように指示すると共に（Ｓ１００１）、そのプログラムを第二の情報処理装置にインストールするように指示する（Ｓ１００２）。
【００７８】
第一の情報処理装置１では、プログラム実行部１０４は、ユーザ操作による実行指示に従い、実行が指示されたプログラムをプログラム記憶部１０３から読み出して実行する（Ｓ１００３）。
【００７９】
そして、第一の情報処理装置１では、インストール要求部１０６は、ユーザ操作によるインストール指示に従い、インストールが指示されたプログラムのプログラムＩＤ、及び、そのプログラムが処理の対象とするデータ、即ち、そのプログラムに関連付けられているデータのデータ付帯情報をそれぞれプログラム記憶部１０３、及び、データ記憶部１０５から取得する（Ｓ１００４）。
【００８０】
その後、第一の情報処理装置１では、インストール要求部１０６は、プログラム記憶部１０３、及び、データ記憶部１０５からそれぞれ取得したプログラムＩＤ、及び、データ付帯情報を第二の情報処理装置に送信することで、第二の情報処理装置に対してインストール要求を行う（Ｓ１００５）。
【００８１】
第二の情報処理装置では、プログラム配信要求部２０４は、第一の情報処理装置１からのインストール要求に応じて、装置構成情報記憶部２０３から装置構成情報を取得する（Ｓ１００６）。
【００８２】
そして、第二の情報処理装置では、プログラム配信要求部２０４は、第一の情報処理装置１から送信されてきたプログラムＩＤ、及び、装置構成情報記憶部２０３から取得した装置構成情報をプログラム配信サーバ３に送信することで、プログラム配信サーバ３に対してプログラム配信要求を行う（Ｓ１００７）。
【００８３】
プログラム配信サーバ３では、プログラム配信部３０２は、第二の情報処理装置２からのプログラム配信要求に応じて、第二の情報処理装置２から送信されてきたプログラムＩＤ、及び、装置構成情報に基づき、最適バージョン決定テーブルを参照することで、第二の情報処理装置に最適化されたバージョンのプログラムをプログラム記憶部３０３から検索する（Ｓ１００８）。
【００８４】
そして、プログラム配信サーバ３では、プログラム配信部３０２は、検索した最適バージョンのプログラムを第二の情報処理装置２に配信する（Ｓ１００９）。
【００８５】
第二の情報処理装置では、インストール部２０６は、プログラム配信サーバ３からプログラムが配信されてくると、プログラム配信サーバ３により配信されたプログラムをプログラム記憶部２０７に記憶させる、即ち、第二の情報処理装置２にインストールする（Ｓ１０１０）。このように、本実施形態に係るプログラム配信システムは、第一の情報処理装置１にインストールされているプログラムの第二の情報処理装置２へのインストール作業を簡略化することが可能である。
【００８６】
そして、第二の情報処理装置では、プログラム実行部２０８は、プログラム記憶部２０７に記憶されているプログラムを読み出して実行し、実行中のプログラムによる処理の対象となるデータを、データ取得要求部２０９に第一の情報処理装置から取得させる（Ｓ１０１１）。
【００８７】
その後、第二の情報処理装置では、データ取得要求部２０９は、プログラム実行部２０８から処理の対象となるデータの取得が指示されると、第一の情報処理装置１から送信されてきたデータ付帯情報により識別されるデータを取得するためのデータ取得要求を第一の情報処理装置に対して行う（Ｓ１０１２）。
【００８８】
第一の情報処理装置では、データ検索部１０７は、第二の情報処理装置２からのデータ取得要求に応じて、データ記憶部１０５からデータを検索し（Ｓ１０１３）、検索したデータをデータ取得要求元の第二の情報処理装置２に送信する（Ｓ１０１４）。
【００８９】
第二の情報処理装置では、プログラム実行部２０８は、第一の情報処理装置から取得したデータに対して実行中のプログラムに従った処理を行う（Ｓ１０１５）。このように、本実施形態に係るプログラム配信システムは、第二の情報処理装置２に処理を実行させるために必要となるデータの取得作業を簡略化することが可能である。
【００９０】
そして、ユーザは、このようにしてインストールされたプログラムが提供する機能を利用するために第二の情報処理装置を操作する（Ｓ１０１６）。このように、本実施形態に係るプログラム配信システムにおいては、ユーザは、第一の情報処理装置にインストール指示を行うといった簡単な操作だけで、第一の情報処理装置で利用しているプログラムが提供する機能を第二の情報処理装置においても利用することが可能となる。
【００９１】
例えば、第一の情報処理装置１がスマートフォン、第二の情報処理装置２がスマートフォン用のＯＳにより動作するＭＦＰであるスマートＭＦＰ、実行されるプログラムがアルバムアプリである場合、図１１に示すように、スマートＭＦＰには画像データのサムネイルが表示される。図１１は、本実施形態に係る第二の情報処理装置２の操作表示部２０１の構成例を示す図である。
【００９２】
このように、スマートＭＦＰには画像データのサムネイルが表示されるのは、スマートＭＦＰがＳ１０１５において、スマートフォンに記憶されている画像データを取得し、取得した画像データを操作表示部２０１に表示するように処理を行ったためである。
【００９３】
このような場合、図１１に示すように、スマートＭＦＰ向けのアルバムアプリは、表示している画像データの選択を受け付け、選択された画像データの印刷指示を受け付けることが可能なように最適化が行われている。また、図１１に示すように、スマートＭＦＰ向けのアルバムアプリは、ユーザの指示を仰ぐためのナビゲーション機能が追加されるように最適化が行われている。
【００９４】
さらに、図１１に示すように、スマートＭＦＰ向けのアルバムアプリは、印刷モードとしてカラー／モノクロ設定の指示、及び、印刷画質として高画質／トナーセーブ設定の指示を受け付けることが可能なように最適化が行われている。この他、スマートＭＦＰ向けのアルバムアプリは、操作表示部２０１の画面サイズ、ボタンの有無や配置、個数に応じた最適化が行われている。
【００９５】
以上、説明したように、本実施形態に係るプログラム配信システムは、第一の情報処理装置１にインストールされているプログラムの第二の情報処理装置２へのインストール作業を簡略化することが可能である。また、本実施形態に係るプログラム配信システムは、第二の情報処理装置２に処理を実行させるために必要となるデータの取得作業を簡略化することが可能である。
【００９６】
従って、本実施形態に係るプログラム配信システムにおいては、ユーザは、簡単な操作で、第一の情報処理装置で利用しているプログラムが提供する機能を第二の情報処理装置においても利用することが可能となる。
【００９７】
尚、本実施形態に係るプログラム配信システムおいて、第二の情報処理装置は、処理の対象となるデータを第一の情報処理装置から取得するように構成されている例について説明した。この他、第一の情報処理装置が予めデータをデータサーバにアップロードしておき、第二の情報処理装置は、処理の対象となるデータをそのデータサーバから取得するように構成されていても良い。
【００９８】
また、本実施形態においては、第一の情報処理装置１、第二の情報処理装置２、プログラム配信サーバ３がネットワーク４を介して接続されて構成されているプログラム配信システムについて説明した。
【００９９】
この他、プログラム配信サーバ３の備える機能を、第一の情報処理装置１、若しくは、第二の情報処理装置２が備えるように構成されていても良い。即ち、第一の情報処理装置１、若しくは、第二の情報処理装置２がプログラム配信サーバ３として機能するように構成されていても良い。
【０１００】
実施の形態２．
本実施形態においては、ユーザ毎にカスタマイズしたホーム画面を表示するホーム画面カスタマイズ機能を備えたＭＦＰが複数接続されたプログラム配信システム（情報処理システム）について説明する。
【０１０１】
ホーム画面カスタマイズ機能は、例えば、ユーザ毎に、よく使うアイコンをホーム画面の上部に移動させたり、逆に、使わないアイコンはホーム画面上から削除したり、よく使う設定や設定項目の多い機能をアイコン登録してホーム画面からいつでも簡単に呼び出せたりするといったように、ユーザ毎にホーム画面をカスタマイズすることが可能な機能である。
【０１０２】
ところで、カスタマイズされたホーム画面の設定情報（以下、「ホーム画面カスタマイズ設定情報」とする）は、ＭＦＰ本体、若しくは、そのＭＦＰと同一のネットワークに接続されているサーバ（以下、「カスタマイズ設定情報管理サーバ」とする）に保存されている。そして、ＭＦＰは、ホーム画面カスタマイズ機能を提供する場合、その保存されたホーム画面カスタマイズ設定情報を用いてカスタマイズされたホーム画面を表示するようになっている。
【０１０３】
そのため、従来、ユーザは、例えば、上記ホーム画面カスタマイズ設定情報を保存しているＭＦＰとは異なる他のＭＦＰや、上記ネットワークとは異なるネットワークに接続されているＭＦＰ（例えば、コンビニエンスストアや図書館などの不特定多数のユーザが利用する場所に設置されたＭＦＰ）においては、上記ホーム画面カスタマイズ機能を利用することができない。
【０１０４】
そこで、本実施形態においては、上述したような、上記ホーム画面カスタマイズ設定情報を保存しているＭＦＰとは異なる他のＭＦＰや、上記ネットワークとは異なるネットワークに接続されているＭＦＰにおいても、上記ホーム画面カスタマイズ機能を利用することができるようにすることを目的としている。
【０１０５】
以下、図面を参照して、本発明の実施形態を詳細に説明する。尚、実施の形態１と同様の符号を付す構成については、同一または相当部を示すものとし、詳細な説明を省略する。
【０１０６】
まず、本実施形態に係るプログラム配信システムの運用形態について、図１２を参照して説明する。図１２は、本実施形態に係るプログラム配信システムの運用形態の例を示す図である。
【０１０７】
図１２に示すように、本実施形態に係るプログラム配信システムは、ＭＦＰ１ａ、１ｂ、カスタマイズ設定情報管理サーバ６、プロキシサーバ７が接続された社内ＬＡＮ等の限定されたネットワーク９と、ＭＦＰ１ｃと、プログラム配信サーバ３と、アイコン画像配信サーバ８とが、インターネットや電話回線等の公衆回線１１を介して接続されて構成されている。以下では、ＭＦＰ１ａ、１ｂ、１ｃをそれぞれ区別する必要がない場合には、それらを総称してＭＦＰ１とする。
【０１０８】
また、本実施形態に係るプログラム配信システムは、モバイル端末２が、近距離通信回線５を介してＭＦＰ１と接続可能なように構成されている。即ち、本実施形態においては、モバイル端末２が第三の情報処理装置として機能する。
【０１０９】
尚、図１２に示すように、本実施形態に係るプログラム配信システムにおいて、ネットワーク９は、プロキシサーバ７を介して公衆回線１１に接続されているため、公衆回線１１には直接接続されていない構成となっている。また、本実施形態に係るプログラム配信システムにおいて、ＭＦＰ１ｃは、閉じたネットワークには接続されておらず、直接、公衆回線１１に接続されているような環境に設置されたＭＦＰである。
【０１１０】
ＭＦＰ１は、ユーザが使用するＭＦＰであり、実施の形態１における第一の情報処理装置１、第二の情報処理装置２に相当する。モバイル端末２は、ノートＰＣ、モバイルＰＣ、ＰＤＡ、スマートウォッチやスマートグラスなどのウェアラブルデバイス、スマートフォン、スマートデバイス、タブレット端末など、ユーザが操作する携帯可能な情報処理装置であり、実施の形態１における第一の情報処理装置１、第二の情報処理装置２に相当する。
【０１１１】
カスタマイズ設定情報管理サーバ６は、ＭＦＰ１ａ、１ｂからアクセス可能な共有サーバであり、ＭＦＰ１ａ、１ｂからの要求に応じてホーム画面カスタマイズ設定情報を記憶する。アイコン画像配信サーバ８は、ＭＦＰ１からアクセス可能な共有サーバであり、ＭＦＰ１からの要求に応じて、ホーム画面に表示されるアイコン用の画像（以下、「アイコン画像」とする）を配信する。
【０１１２】
次に、本実施形態に係るＭＦＰ１が操作表示部１０１のＬＣＤに表示するホーム画面の表示例について、図１３、図１４を参照して説明する。図１３、図１４は、本実施形態に係るＭＦＰ１が操作表示部１０１に表示するホーム画面の表示例を示す図である。尚、図１３は、カスタマイズが行われていない標準のホーム画面（以下、「標準画面」とする）を示し、図１４は、カスタマイズが行われた後のホーム画面（以下、「カスタム画面」とする）を示している。
【０１１３】
図１３に示すように、標準画面においては、ＭＦＰ１に標準搭載されている機能（以下、「標準機能」とする）、例えば、コピー、スキャナ、プリンタ、ファックスの標準的なアイコン画像（以下、「標準アイコン」とする）が表示されている。
【０１１４】
このような標準画面において、ユーザが所望する機能のアイコンを押下すると、押下されたアイコンに対応する機能を利用するための詳細画面となり、その詳細画面においてユーザが操作することによりＭＦＰの機能を利用することが可能となる。
【０１１５】
例えば、このような標準画面において、ユーザは、コピーのアイコンを押下した場合、原稿サイズやモノクロ／カラー、集約印刷、両面印刷などの詳細を設定するための詳細画面となり、所望する設定を行った上でコピーを利用することが可能となる。
【０１１６】
また、図１４に示すように、カスタム画面においては、図１３に示す標準画面からスキャナ、プリンタ、ファックスのアイコンが非表示となっており、エココピー、マイスキャナ、カスタムアプリＡ、カスタムアプリＢのアイコンが追加されている。
【０１１７】
エココピーは、例えば、モノクロ／カラー＝カラー、集約印刷＝ＯＮ（２  ｉｎ  １）、両面印刷＝ＯＮといったように、ＭＦＰ１に標準搭載されているコピー機能における詳細設定を事前に登録したものである。
【０１１８】
マイスキャナは、スキャナのアイコン画像をユーザが自由にカスタマイズしたものである。ＭＦＰ１は、このマイスキャナのアイコンが押下された時、標準機能のスキャナ機能と同じ動作をする。本実施形態においては、カスタマイズされたアイコン画像（以下、「カスタムアイコン」とする）は、ＭＦＰ１に標準的に記憶されている画像や、ユーザが他から取得してＭＦＰ１に記憶させた画像、アイコン画像配信サーバ８から取得された画像である。
【０１１９】
カスタムアプリＡ、Ｂは、ＭＦＰ１に標準搭載されていないアプリケーション・プログラム（以下、「アプリ」とする）であって、ユーザや管理者により追加インストールされたアプリである。ユーザは、このカスタムアプリＡやカスタムアプリＢのアイコンを押下することで、追加インストールされたアプリを動作させて、そのアプリが提供する機能を利用することが可能となる。
【０１２０】
次に、本実施形態に係るモバイル端末２の機能構成について、図１５を参照して説明する。図１５は、本実施形態に係るモバイル端末２の機能構成を模式的に示すブロック図である。
【０１２１】
図１５に示すように、本実施形態に係るモバイル端末２は、図６に示す構成の他に、カスタマイズ設定情報取得要求部２１１、カスタマイズ設定情報記憶部２１２を備える。
【０１２２】
カスタマイズ設定情報取得要求部２１１は、操作表示部２０１へのユーザ操作に応じて、近距離通信回線５を介して接続されているＭＦＰ１に対して、ホーム画面カスタマイズ設定情報を取得するためのカスタマイズ設定情報取得要求を行う。そして、カスタマイズ設定情報取得要求部２１１は、そのカスタマイズ設定情報取得要求に応じて取得したホーム画面カスタマイズ設定情報をカスタマイズ設定情報記憶部２１２に記憶させる。カスタマイズ設定情報記憶部２１２は、ホーム画面カスタマイズ設定情報を記憶する。
【０１２３】
次に、本実施形態に係るＭＦＰ１の機能構成について、図１６を参照して説明する。図１６は、本実施形態に係るＭＦＰ１の機能構成を模式的に示すブロック図である。
【０１２４】
図１６に示すように、本実施形態に係るＭＦＰ１は、図３、図６に示す構成の他に、詳細設定情報記憶部１０９、アイコン画像記憶部１１０、アイコン設定情報記憶部１１１、カスタマイズ設定情報生成部１１２、カスタマイズ設定情報取得要求部１１３、アイコン画像配置情報記憶部１１４、カスタマイズ設定情報記憶部１１５を備える。
【０１２５】
尚、本実施形態に係るプログラム記憶部１０３は、ＭＦＰ１にインストールされているアプリを記憶すると共に、各アプリを一意に識別するためのアプリ識別子、そのアプリをインストールするために必要となるファイル（以下、「インストールファイル」とする）の記憶先、そのアプリの属性、そのアプリの取得先を関連付けてアプリ記憶情報として記憶する。ここで、アプリ記憶情報のデータ構成の一例を図１７に示す。図１７は、本実施形態に係るアプリ記憶情報のデータ構成の一例を示す図である。
【０１２６】
図１７に示すように、アプリ記憶情報におけるアプリ属性には、そのアプリがＭＦＰ１に標準搭載されているアプリ（以下、「標準アプリ」とする）である場合、その属性として標準アプリであることが記述される。
【０１２７】
また、アプリ記憶情報におけるアプリ属性には、そのアプリがユーザにより取得された任意のアプリ（以下、「任意アプリ」とする）である場合、その属性として任意アプリであることが記述される。
【０１２８】
また、図１７に示すように、アプリ記憶情報におけるアプリ属性には、そのアプリがプログラム配信サーバ３から取得されたアプリ（以下、「配信アプリ」とする）である場合、その属性として配信アプリであることが記述される。
【０１２９】
また、図１７に示すように、アプリ記憶情報におけるインストールファイルの取得先には、そのアプリが配信アプリである場合、そのアプリをプログラム配信サーバ３から取得するための取得先ＵＲＬが記述される。
【０１３０】
詳細設定情報記憶部１０９は、上述したエココピーなど、ＭＦＰ１に標準搭載されている機能やカスタムアプリにおける詳細設定に関する情報（以下、「詳細設定情報」）を記憶する。プログラム実行部１０４は、この詳細設定情報を参照することで、その詳細設定に従ってプログラムを実行することができる。
【０１３１】
アイコン画像記憶部１１０は、アイコン画像の画像データを記憶すると共に、各アイコン画像を一意に識別するためのアイコン画像識別子、そのアイコン画像の画像データの記憶先、そのアイコン画像の属性、そのアイコン画像の画像データの取得先を関連付けてアイコン記憶情報として記憶する。ここで、アイコン記憶情報のデータ構成の一例を図１８に示す。図１８は、本実施形態に係るアイコン記憶情報のデータ構成の一例を示す図である。
【０１３２】
図１８に示すように、アイコン記憶情報におけるアイコン画像の属性には、そのアイコン画像が標準アイコンである場合、その属性として標準アイコンであることが記述される。
【０１３３】
また、図１８に示すように、アイコン記憶情報におけるアイコン画像の属性には、そのアイコン画像がユーザにより取得された任意のアイコン画像（以下、「任意アイコン」とする）である場合、その属性として任意アイコンであることが記述される。
【０１３４】
また、図１８に示すように、アイコン記憶情報におけるアイコン画像の属性には、そのアイコン画像がアイコン画像配信サーバ８から取得されたアイコン画像（以下、「配信アイコン」とする）である場合、その属性として配信アイコンであることが記述される。
【０１３５】
また、図１８に示すように、アイコン記憶情報におけるアイコン画像の属性には、そのアイコン画像が配信アプリのアイコン（以下、「配信アプリアイコン」）である場合、その属性として配信アプリアイコンであることが記述される。
【０１３６】
また、図１８に示すように、アイコン記憶情報におけるアイコン画像の取得先には、そのアイコン画像が配信アイコンである場合、そのアイコン画像をアイコン画像配信サーバ８から取得するための取得先ＵＲＬが記述される。
【０１３７】
アイコン設定情報記憶部１１１は、ホーム画面に表示されているアイコン画像とアプリとを紐付けるために、アプリ識別子とアイコン画像識別子とを関連付けてアイコン設定情報として記憶する。ここで、アイコン設定情報のデータ構成の一例を図１９に示す。図１９は、本実施形態に係るアイコン設定情報のデータ構成の一例を示す図である。操作表示制御部１０２は、このアイコン設定情報を参照することで、押下されたアイコン画像に対応したアプリをプログラム実行部１０４に実行させるように指示することができる。
【０１３８】
カスタマイズ設定情報生成部１１２は、カスタマイズ設定情報を生成し、生成したカスタマイズ設定情報をカスタマイズ設定情報管理サーバ６に送信して記憶させる。即ち、本実施形態においては、カスタマイズ設定情報生成部１１２がカスタマイズ設定情報として設定情報を生成する設定情報生成部として機能する。カスタマイズ設定情報生成部１１２によるカスタマイズ設定情報の生成処理については、図２３を参照して後述する。
【０１３９】
カスタマイズ設定情報取得要求部１１３は、モバイル端末２からのカスタマイズ設定情報取得要求を受けて、カスタマイズ設定情報管理サーバ６に対して、カスタマイズ設定情報を取得するためのカスタマイズ設定情報取得要求を行う。また、カスタマイズ設定情報取得要求部１１３は、ユーザによるホーム画面カスタマイズ機能の利用操作を受けて、そのユーザが操作するモバイル端末２に対して、カスタマイズ設定情報を取得するためのカスタマイズ設定情報取得要求を行う。
【０１４０】
アイコン画像配置情報記憶部１１４は、アイコン画像識別子とそのアイコン画像識別子により識別されるアイコン画像のホーム画面におけるＬＣＤ上の位置座標とを関連付けてアイコン画像配置情報として記憶する。ここで、アイコン画像配置情報のデータ構成の一例を図２０に示す。図２０は、本実施形態に係るアイコン画像配置情報のデータ構成の一例を示す図である。
【０１４１】
カスタマイズ設定情報記憶部１１５は、カスタマイズ設定情報を記憶する。操作表示制御部１０２は、このカスタマイズ設定情報記憶部１１５に記憶されているカスタマイズ設定情報に基づき、操作表示部１０１のＬＣＤにカスタム画面を表示する。
【０１４２】
次に、本実施形態に係るカスタマイズ設定情報管理サーバ６の機能構成について、図２１を参照して説明する。図２１は、本実施形態に係るカスタマイズ設定情報管理サーバ６の機能構成を模式的に示すブロック図である。
【０１４３】
図２１に示すように、本実施形態に係るカスタマイズ設定情報管理サーバ６は、ネットワーク制御部６０１、カスタマイズ設定情報配信部６０２、カスタマイズ設定情報記憶部６０３、カスタマイズ設定情報記憶制御部６０４を備える。
【０１４４】
ネットワーク制御部６０１は、カスタマイズ設定情報管理サーバ６の各部がＭＦＰ１ａ、１ｂに向けて送信するべきデータを、ネットワーク９を介してＭＦＰ１ａ、１ｂに送信する。また、ネットワーク制御部６０１は、ＭＦＰ１ａ、１ｂからネットワーク９を介して送信されてきたデータを、カスタマイズ設定情報管理サーバ６の各部に入力する。
【０１４５】
カスタマイズ設定情報配信部６０２は、ＭＦＰ１ａ、１ｂからのカスタマイズ設定情報取得要求に応じて、そのカスタマイズ設定情報取得要求に応じたホーム画面カスタマイズ設定情報をカスタマイズ設定情報記憶部６０３から検索し、検索したカスタマイズ設定情報をカスタマイズ設定情報取得要求元のＭＦＰ１に送信する。
【０１４６】
カスタマイズ設定情報記憶部６０３は、カスタマイズ設定情報を記憶する。即ち、本実施形態においては。カスタマイズ設定情報記憶部６０３が設定情報記憶部として機能する。カスタマイズ設定情報記憶制御部６０４は、ＭＦＰ１ａ、１ｂから送信されてきたカスタマイズ設定情報をカスタマイズ設定情報記憶部６０３に記憶させる。
【０１４７】
次に、本実施形態に係るアイコン画像配信サーバ８の機能構成について、図２２を参照して説明する。図２２は、本実施形態に係るアイコン画像配信サーバ８の機能構成を模式的に示すブロック図である。
【０１４８】
図２２に示すように、本実施形態に係るアイコン画像配信サーバ８は、ネットワーク制御部８０１、アイコン画像配信部８０２、アイコン画像記憶部８０３を備える。
【０１４９】
ネットワーク制御部８０１は、アイコン画像配信サーバ８の各部がＭＦＰ１に向けて送信するべきデータを公衆回線１１を介してＭＦＰ１に送信する。アイコン画像配信部８０２は、ＭＦＰ１からのアイコン画像取得要求に応じて、そのアイコン画像取得要求に応じたアイコン画像をアイコン画像記憶部８０３から検索し、検索したアイコン画像をアイコン画像取得要求元のＭＦＰ１に送信する。アイコン画像記憶部８０３は、アイコン画像を記憶する。
【０１５０】
次に、本実施形態に係るＭＦＰ１がカスタマイズ設定情報を生成する際の処理について、図２３を参照して説明する。図２３は、本実施形態に係るＭＦＰ１がカスタマイズ設定情報を生成する際の処理を説明するためのフローチャートである。
【０１５１】
図２３に示すように、本実施形態に係るＭＦＰ１がカスタマイズ設定情報を生成する際にはまず、カスタマイズ設定情報生成部１１２は、ホーム画面に表示されているアイコン画像からいずれかのアイコン画像のアイコン画像識別子を選択する（Ｓ２３０１）。
【０１５２】
そして、カスタマイズ設定情報生成部１１２は、図２０に示したアイコン画像配置情報を参照して、Ｓ２３０１において選択したアイコン画像識別子により識別されるアイコン画像のホーム画面におけるＬＣＤ上の位置座標を取得する（Ｓ２３０２）。
【０１５３】
そして、カスタマイズ設定情報生成部１１２は、図１８に示したアイコン記憶情報におけるアイコン画像の属性を参照して、Ｓ２３０１において選択したアイコン画像識別子により識別されるアイコン画像の属性を取得し（Ｓ２３０３）、取得したアイコン画像の属性が標準アイコンであるか否かを判定する（Ｓ２３０４）。
【０１５４】
カスタマイズ設定情報生成部１１２は、Ｓ２３０３における判定処理において、標準アイコンであると判定した場合（Ｓ２３０４／ＹＥＳ）、Ｓ２３０１において選択したアイコン画像識別子を取得する（Ｓ２３０５）。
【０１５５】
一方、カスタマイズ設定情報生成部１１２は、Ｓ２３０４における判定処理において、標準アイコンではないと判定した場合（Ｓ２３０４／ＮＯ）、Ｓ２３０３において取得したアイコン画像の属性が配信アイコンであるか否かを判定する（Ｓ２３０６）。
【０１５６】
カスタマイズ設定情報生成部１１２は、Ｓ２３０６における判定処理において、配信アイコンであると判定した場合（Ｓ２３０６／ＹＥＳ）、図１８に示したアイコン記憶情報におけるアイコン画像の取得先を参照して、Ｓ２３０１において選択したアイコン画像識別子により識別されるアイコン画像の取得先ＵＲＬを取得する（Ｓ２３０８）。
【０１５７】
一方、カスタマイズ設定情報生成部１１２は、Ｓ２３０６における判定処理において、配信アイコンではないと判定した場合（Ｓ２３０６／ＮＯ）、図１８に示したアイコン記憶情報におけるアイコン画像の記憶先を参照して、Ｓ２３０１において選択したアイコン画像識別子により識別されるアイコン画像の画像データをその記憶先から取得する（Ｓ２３０７）。
【０１５８】
そして、カスタマイズ設定情報生成部１１２は、図１９に示したアイコン設定情報を参照して、Ｓ２３０１において選択したアイコン画像識別子に関連付けられているアプリ識別子を検索する（Ｓ２３０９）。
【０１５９】
そして、カスタマイズ設定情報生成部１１２は、図１７に示したアプリ記憶情報におけるアプリの属性を参照して、Ｓ２３０９において検索したアプリ識別子により識別されるアプリの属性を取得し（Ｓ２３１０）、取得したアプリの属性が標準アプリであるか否かを判定する（Ｓ２３１１）。
【０１６０】
カスタマイズ設定情報生成部１１２は、Ｓ２３１１における判定処理において、標準アプリであると判定した場合（Ｓ２３１１／ＹＥＳ）、Ｓ２３０９において検索したアプリ識別子を取得する（Ｓ２３１２）。
【０１６１】
一方、カスタマイズ設定情報生成部１１２は、Ｓ２３１１における判定処理において、標準アプリではないと判定した場合（Ｓ２３１１／ＮＯ）、Ｓ２３１０において取得したアプリの属性が配信アプリであるか否かを判定する（Ｓ２３１３）。
【０１６２】
カスタマイズ設定情報生成部１１２は、Ｓ２３１３における判定処理において、配信アプリであると判定した場合（Ｓ２３１３／ＹＥＳ）、図１７に示したアプリ記憶情報におけるアプリの取得先を参照して、Ｓ２３０９において検索したアプリ識別子により識別されるアプリの取得先ＵＲＬを取得する（Ｓ２３１５）。
【０１６３】
一方、カスタマイズ設定情報生成部１１２は、Ｓ２３１３における判定処理において、配信アプリではないと判定した場合（Ｓ２３１３／ＮＯ）、図１７に示したアプリ記憶情報におけるインストールファイルの記憶先を参照して、Ｓ２３０８において検索したアプリ識別子により識別されるアプリのインストールファイルをその記憶先から取得する（Ｓ２３１４）。
【０１６４】
そして、カスタマイズ設定情報生成部１１２は、詳細設定情報記憶部１０９に記憶されている詳細設定情報を参照して、Ｓ２３０９において検索したアプリ識別子により識別されるアプリの詳細設定がカスタマイズされているか否かを判定する（Ｓ２３１６）。
【０１６５】
カスタマイズ設定情報生成部１１２は、Ｓ２３１６における判定処理において、詳細設定がカスタムされていると判定した場合（Ｓ２３１６／ＹＥＳ）、詳細設定情報記憶部１０９に記憶されている詳細設定情報から、Ｓ２３０９において検索したアプリ識別子により識別されるアプリの詳細設定情報を取得する（Ｓ２３１７）。
【０１６６】
一方、カスタマイズ設定情報生成部１１２は、Ｓ２３１６における判定処理において、詳細設定がカスタムされていないと判定した場合（Ｓ２３１６／ＮＯ）、詳細設定情報の取得を行わずにＳ２３１８の処理に移行する。
【０１６７】
そして、カスタマイズ設定情報生成部１１２は、ホーム画面に表示されている全アイコン画像のアイコン画像識別子を選択するまでＳ２３０１〜Ｓ２３１７と同様の処理を行う（Ｓ２３１８／ＮＯ）。
【０１６８】
そして、カスタマイズ設定情報生成部１１２は、ホーム画面に表示されている全アイコン画像のアイコン画像識別子を選択すると（Ｓ２３１８／ＹＥＳ）、取得した内容をまとめてカスタマイズ設定情報を生成する（Ｓ２３１９）。
【０１６９】
このとき、カスタマイズ設定情報生成部１１２は、生成したカスタマイズ設定情報を一意に識別するためのカスタマイズ設定情報識別子を生成し、そのカスタマイズ設定情報識別子をＳ２３１９において生成したカスタマイズ設定情報に付加すると共に、そのカスタマイズ設定情報の生成日時をＳ２３１９において生成したカスタマイズ設定情報に付加する。即ち、本実施形態においては、カスタマイズ設定情報識別子が設定情報識別子として、カスタマイズ設定情報である設定情報に付与される。
【０１７０】
そして、カスタマイズ設定情報生成部１１２は、生成したカスタマイズ設定情報、取得したアイコン画像データ、アプリをカスタマイズ設定情報管理サーバ６にアップロードする（Ｓ２３２０）。そして、カスタマイズ設定情報管理サーバ６では、カスタマイズ設定情報記憶制御部６０４は、ＭＦＰ１ａから取得したカスタマイズ設定情報、アイコン画像データ、アプリをカスタマイズ設定情報記憶部６０３に記憶させる。
【０１７１】
尚、ＭＦＰ１ｃは、カスタマイズ設定情報管理サーバ６とは直接接続されていないため、生成したカスタマイズ設定情報、取得したアイコン画像データ、アプリをカスタマイズ設定情報管理サーバ６にアップロードする代わりに、カスタマイズ設定情報記憶部１１５、アイコン画像記憶部１１０、プログラム記憶部１０３に記憶する。
【０１７２】
また、ＭＦＰ１ａ、１ｂにおいても、生成したカスタマイズ設定情報、取得したアイコン画像データ、アプリをカスタマイズ設定情報管理サーバ６にアップロードする代わりに、カスタマイズ設定情報記憶部１１５、アイコン画像記憶部１１０、プログラム記憶部１０３に記憶するように構成されていても良い。
【０１７３】
本実施形態に係るＭＦＰ１は、このようにしてカスタマイズ設定情報を生成する。ここで、本実施形態に係るＭＦＰ１が生成したカスタマイズ設定情報のデータ構成の一例を図２４に示す。図２４は、本実施形態に係るＭＦＰ１が生成したカスタマイズ設定情報のデータ構成の一例を示す図である。尚、図２４は、図１４に示したカスタム画面に対応したカスタマイズ設定情報である。
【０１７４】
図２４に示すように、カスタマイズ設定情報には、そのカスタマイズ設定情報のカスタマイズ設定情報識別子、カスタマイズ設定情報生成日時が記述されている。尚、図２４においては、カスタマイズ設定情報識別子は、ＵＵＩＤ（Ｕｎｉｖｅｒｓａｌｌｙ  Ｕｎｉｑｕｅ  Ｉｄｅｎｔｉｆｉｅｒ）として記述されているが、ユーザ認証を行う際のユーザＩＤと紐付けられた情報であっても良い。
【０１７５】
また、図２４に示すように、カスタマイズ設定情報には、５つのアプリ設定１、２、３、４、５が記述されており、これは、図１４に示したカスタム画面に対応したカスタマイズ設定情報だからである。
【０１７６】
アプリ設定１は、図１４に示したカスタム画面における「コピー」のアイコン画像（以下、「コピーアイコン」とする）に対応するものである。このアプリ設定１から、コピーアイコンは、位置座標（ａ、ｂ）に配置され、標準アイコンである「標準コピーアイコンＡ」が指定されていることがわかる。また、このアプリ設定１から、コピーアイコンに関連付けられているアプリは、標準アプリである「標準コピーアプリ」が指定されていることがわかる。
【０１７７】
アプリ設定２は、図１４に示したカスタム画面における「エココピー」のアイコン画像（以下、「エココピーアイコン」とする）に対応するものである。このアプリ設定２から、エココピーアイコンは、位置座標（ｃ、ｄ）に配置され、標準アイコンである「標準コピーアイコンＢ」であることがわかる。また、このアプリ設定２から、エココピーアイコンに関連付けられているアプリは、標準アプリである「標準コピーアプリ」であることがわかる。また、このアプリ設定２から、標準コピーアプリの詳細設定がカスタマイズされており、その内容は、モノクロ／カラー＝カラー、集約印刷＝ＯＮ（２  ｉｎ  １）、両面印刷＝ＯＮであることがわかる。
【０１７８】
アプリ設定３は、図１４に示したカスタム画面における「マイスキャナ」のアイコン画像（以下、「マイスキャナアイコン」とする）に対応するものである。このアプリ設定３から、マイスキャナアイコンは、位置座標（ｅ、ｆ）に配置され、任意アイコンであり、そのアイコン画像の画像データのファイル名が「０１２３４５６７８９．ｊｐｇ」であることがわかる。また、このアプリ設定２から、マイスキャナアイコンに関連付けられているアプリは、標準アプリである「標準コピーアプリ」であることがわかる。
【０１７９】
尚、アプリ設定３では、アイコン画像が任意アイコンであるため、そのアイコン画像の画像データそのものがカスタマイズ設定情報に含まれる。
【０１８０】
アプリ設定４は、図１４に示したカスタム画面における「カスタムアプリＡ」のアイコン画像（以下、「カスタムアプリＡアイコン」とする）に対応するものである。このアプリ設定４から、カスタムアプリＡアイコンは、位置座標（ｇ、ｈ）に配置され、配信アプリアイコンであることがわかる。また、このアプリ設定４から、カスタムアプリＡアイコンに関連付けられているアプリは、配信アプリであり、その取得先が「ｈｔｔｐ：／／ｗｗｗ．＊＊＊＊＊／＊＊＊＊＊＊＊＊＊＊／０１２３４５６７８９」であることがわかる。
【０１８１】
アプリ設定５は、図１４に示したカスタム画面における「カスタムアプリＢ」のアイコン画像（以下、「カスタムアプリＢアイコン」とする）に対応するものである。このアプリ設定５から、カスタムアプリＢアイコンは、位置座標（ｉ、ｊ）に配置され、配信アイコンであり、その取得先が「ｈｔｔｐ：／／ｗｗｗ．＊＊＊＊＊／＊＊＊＊＊＊＊＊＊＊／ＡＢＣＤＥＦＧＨＩＪ」であることがわかる。また、このアプリ設定５から、カスタムアプリＢアイコンに関連付けられているアプリは、任意アプリであり、そのインストールファイルが「ＡＢＣＤＥＦＧＨＩＪ.ｅｘｅ」であることがわかる。
【０１８２】
尚、アプリ設定５では、アプリが任意アプリであるため、そのアプリのインストールファイルそのものがカスタマイズ設定情報に含まれる。
【０１８３】
次に、本実施形態に係るモバイル端末２がＭＦＰ１ａからカスタマイズ設定情報を取得する際の処理について、図２５を参照して説明する。図２５は、本実施形態に係るモバイル端末２がＭＦＰ１からカスタマイズ設定情報を取得する際の処理を説明するためのシーケンス図である。尚、図２５においては、モバイル端末２がＭＦＰ１ａからカスタマイズ設定情報を取得する際の処理について説明するが、ＭＦＰ１ｂから取得する場合も同様である。
【０１８４】
図２５に示すように、本実施形態に係るモバイル端末２がＭＦＰ１ａからカスタマイズ設定情報を取得する際にはまず、ユーザは、モバイル端末２に対してカスタマイズ設定情報取得指示を行う（Ｓ２５０１）。
【０１８５】
そして、モバイル端末２では、カスタマイズ設定情報取得要求部２１１は、カスタマイズ設定情報識別子をＭＦＰ１ａに送信することで、ＭＦＰ１ａに対してカスタマイズ設定情報取得要求を行う（Ｓ２５０２）。
【０１８６】
そして、ＭＦＰ１ａでは、カスタマイズ設定情報取得要求部１１３は、モバイル端末２からのカスタマイズ設定情報取得要求に応じて、モバイル端末２から送信されてきたカスタマイズ設定情報識別子をカスタマイズ設定情報管理サーバ６に送信することで、カスタマイズ設定情報管理サーバ６に対してカスタマイズ設定情報取得要求を行う（Ｓ２５０３）。
【０１８７】
そして、カスタマイズ設定情報管理サーバ６では、カスタマイズ設定情報配信部６０２は、ＭＦＰ１ａからのカスタマイズ設定情報取得要求に応じて、ＭＦＰ１ａから送信されてきたカスタマイズ設定情報識別子が付与されているカスタマイズ設定情報をカスタマイズ設定情報記憶部６０３から検索し、検索したカスタマイズ設定情報をカスタマイズ設定情報取得要求の要求元であるＭＦＰ１ａに送信する（Ｓ２５０４）。
【０１８８】
そして、ＭＦＰ１ａでは、カスタマイズ設定情報取得要求部１１３は、カスタマイズ設定情報管理サーバ６から送信されてきたカスタマイズ設定情報をカスタマイズ設定情報取得要求の要求元であるモバイル端末２に送信する（Ｓ２５０５）。
【０１８９】
そして、モバイル端末２では、ＭＦＰ１ａから送信されてきたカスタマイズ設定情報をカスタマイズ設定情報記憶部２１２に記憶させる（Ｓ２５０６）。
【０１９０】
次に、本実施形態に係るＭＦＰ１ｃにおいてユーザがホーム画面カスタマイズ機能を利用する際の処理について、図２６を参照して説明する。図２６は、本実施形態に係るＭＦＰ１ｃにおいてユーザがホーム画面カスタマイズ機能を使用する際の処理を説明するためのシーケンス図である。
【０１９１】
図２６に示すように、本実施形態に係るＭＦＰ１ｃにおいてユーザがホーム画面カスタマイズ機能を使用する際にはまず、ユーザは、ＭＦＰ１ｃに対してカスタマイズ設定機能利用操作を行う（Ｓ２６０１）。
【０１９２】
そして、ＭＦＰ１ｃとモバイル端末２とが近距離通信の接続を確立すると（Ｓ２６０２）、ＭＦＰ１ｃでは、カスタマイズ設定情報取得要求部１１３は、モバイル端末２に対してカスタマイズ設定情報取得要求を行う（Ｓ２６０３）。
【０１９３】
そして、モバイル端末２では、近距離通信制御部２１０は、カスタマイズ設定情報記憶部２１２に記憶されているカスタマイズ設定情報をＭＦＰ１ａに送信する（Ｓ２６０４）。即ち、本実施形態においては、近距離通信制御部２１０が設定情報取得送信部として機能する。
【０１９４】
そして、ＭＦＰ１ａでは、カスタマイズ設定情報取得要求部１１３は、モバイル端末２から送信されてきたカスタマイズ設定情報を解析して（Ｓ２６０５）、自身が保有していないアイコン画像とアプリとを取得するために、モバイル端末２、アイコン画像配信サーバ８に対してアイコン画像取得要求を、プログラム配信サーバ３に対してアプリ取得要求を行う（Ｓ２６０６〜Ｓ２６０８）。
【０１９５】
そして、モバイル端末２、プログラム配信サーバ３、アイコン画像配信サーバ８はそれぞれ、取得要求に応じたアイコン画像の画像データ、アプリを取得要求元のＭＦＰ１ｃに送信する（Ｓ２６０９〜Ｓ２６１１）。
【０１９６】
そして、ＭＦＰ１ｃでは、カスタマイズ設定情報取得要求部１１３は、取得したカスタマイズ設定情報をカスタマイズ設定情報記憶部１１５に、アイコン画像の画像データをアイコン画像記憶部１１０に、アプリをプログラム記憶部１０３に記憶させる（Ｓ２６１２）。即ち、本実施形態においては、カスタマイズ設定情報取得要求部１１３がデータ取得部として機能する。
【０１９７】
そして、ＭＦＰ１ｃでは、操作表示制御部１０２は、カスタマイズ設定情報記憶部１１５に記憶されているカスタマイズ設定情報に基づき、操作表示部１０１のＬＣＤにカスタム画面を表示する（Ｓ２６１３）。即ち、本実施形態においては、操作表示制御部１０２が処理実行部として機能する。
【０１９８】
このように、本実施形態に係るプログラム配信システムによれば、ホーム画面カスタマイズ設定情報を保存しているＭＦＰとは異なる他のＭＦＰや、カスタマイズ設定情報管理サーバ６とは異なるネットワークに接続されているＭＦＰにおいても、ホーム画面カスタマイズ機能を利用することが可能となる。
【０１９９】
尚、図２６においては、ＭＦＰ１ｃには予めカスタマイズ設定情報が記憶されていないことを前提としているが、予めカスタマイズ設定情報が記憶されている場合、ＭＦＰ１ｃはまず、モバイル端末２からカスタマイズ設定情報識別子のみを取得する。そして、ＭＦＰ１ｃは、そのカスタマイズ設定情報識別子と同じカスタマイズ設定情報識別子が付与されているカスタマイズ設定情報に基づき、操作表示部１０１のＬＣＤにカスタム画面を表示する。本実施形態に係るＭＦＰ１ｃは、このように構成されることで、毎回、モバイル端末２からカスタマイズ設定情報を取得する必要がなくなる。
【０２００】
次に、本実施形態に係るＭＦＰ１ｃにおいてユーザがカスタム画面をカスタマイズする際の処理について、図２７を参照して説明する。図２７は、本実施形態に係るＭＦＰ１ｃにおいてユーザがカスタム画面をカスタマイズする際の処理を説明するためのシーケンス図である。
【０２０１】
図２７に示すように、本実施形態に係るＭＦＰ１ｃにおいてユーザがカスタム画面をカスタマイズする際にはまず、ユーザは、カスタム画面の変更操作を行う（Ｓ２７０１）。
【０２０２】
そして、ＭＦＰ１ｃでは、カスタマイズ設定情報生成部１１２は、図２６に示した処理によりカスタマイズ設定情報を生成して（Ｓ２７０２）、生成したカスタマイズ設定情報をカスタマイズ設定情報記憶部１１５に記憶させる（Ｓ２７０３）。
【０２０３】
そして、ＭＦＰ１ｃとモバイル端末２とが近距離通信の接続を確立すると（Ｓ２７０４）、ＭＦＰ１ｃでは、カスタマイズ設定情報生成部１１２は、生成したカスタマイズ設定情報をモバイル端末２に送信する（Ｓ２７０５）。
【０２０４】
そして、モバイル端末２では、近距離通信制御部２１０は、ＭＦＰ１ｃから送信されてきたカスタマイズ設定情報をカスタマイズ設定情報記憶部２１２に記憶させる（Ｓ２７０６）。このような処理により、ＭＦＰ１ｃ上で変更されたカスタム画面に係るカスタマイズ設定情報がモバイル端末２にも記憶される。
【０２０５】
ここで、本実施形態に係るＭＦＰ１ｃが生成した変更後のカスタマイズ設定情報のデータ構成の一例を図２８に示す。図２８は、本実施形態に係るＭＦＰ１ｃが生成した変更後のカスタマイズ設定情報のデータ構成の一例を示す図である。尚、図２８においては、図２４からの変更箇所を太文字にて示している。
【０２０６】
次に、本実施形態に係るＭＦＰ１ａにおいてユーザがホーム画面カスタマイズ機能を利用する際の処理について、図２９を参照して説明する。図２９は、本実施形態に係るＭＦＰ１ａにおいてユーザがホーム画面カスタマイズ機能を利用する際の処理を説明するためのシーケンス図である。
【０２０７】
尚、図２９においては、カスタマイズ設定情報管理サーバ６には、図２４に示したカスタマイズ設定情報が保存されており、モバイル端末２には、図２８に示すカスタマイズ設定情報を保存されていることを前提としている。また、図２９においては、ＭＦＰ１ａにおいてユーザがホーム画面カスタマイズ機能を利用する際の処理について説明するが、ＭＦＰ１ｂにおいて利用する場合も同様である。
【０２０８】
図２９に示すように、本実施形態に係るＭＦＰ１ａにおいてユーザがホーム画面カスタマイズ機能を使用する際にはまず、ユーザは、ＭＦＰ１ａに対してカスタマイズ設定機能利用操作を行う（Ｓ２９０１）。
【０２０９】
そして、ＭＦＰ１ａとモバイル端末２とが近距離通信の接続を確立すると（Ｓ２９０２）、ＭＦＰ１ａでは、カスタマイズ設定情報取得要求部１１３は、モバイル端末２に対してカスタマイズ設定情報取得要求を行う（Ｓ２９０３）。
【０２１０】
そして、モバイル端末２では、近距離通信制御部２１０は、カスタマイズ設定情報記憶部２１２に記憶されているカスタマイズ設定情報をＭＦＰ１ａに送信する（Ｓ２９０４）。
【０２１１】
そして、ＭＦＰ１ａでは、カスタマイズ設定情報取得要求部１１３は、モバイル端末２から取得したカスタマイズ設定情報のカスタマイズ設定情報識別子と同じカスタマイズ設定情報識別子が付与されたカスタマイズ設定情報の取得要求をカスタマイズ設定情報管理サーバ６に対して行う（Ｓ２９０５）。
【０２１２】
そして、カスタマイズ設定情報管理サーバ６では、カスタマイズ設定情報配信部６０２は、ＭＦＰ１ａからのカスタマイズ設定情報取得要求に応じたカスタマイズ設定情報をカスタマイズ設定情報記憶部６０３から検索し、検索したカスタマイズ設定情報をカスタマイズ設定情報取得要求の要求元であるＭＦＰ１ａに送信する（Ｓ２９０６）。
【０２１３】
そして、ＭＦＰ１ａでは、カスタマイズ設定情報取得要求部１１３は、モバイル端末２、カスタマイズ設定情報管理サーバ６から取得したカスタマイズ設定情報の生成日時を比較する（Ｓ２９０７）。即ち、本実施形態においては、カスタマイズ設定情報取得要求部１１３が設定情報取得部、生成日時比較部として機能する。
【０２１４】
そして、ＭＦＰ１ａでは、カスタマイズ設定情報取得要求部１１３は、生成日時の新しい方のカスタマイズ設定情報を解析して（Ｓ２９０８）、自身が保有していないアイコン画像とアプリとを取得するために、モバイル端末２、アイコン画像配信サーバ８に対してアイコン画像取得要求を、プログラム配信サーバ３に対してアプリ取得要求を行う（Ｓ２９０９〜Ｓ２９１１）。
【０２１５】
そして、モバイル端末２、プログラム配信サーバ３、アイコン画像配信サーバ８はそれぞれ、取得要求に応じたアイコン画像の画像データ、アプリを取得要求元のＭＦＰ１ａに送信する（Ｓ２９１２〜Ｓ２９１４）。
【０２１６】
そして、ＭＦＰ１ｃでは、カスタマイズ設定情報取得要求部１１３は、生成日時が新しい方のカスタマイズ設定情報、取得したアイコン画像の画像データ、アプリをカスタマイズ設定情報管理サーバ６にアップロードする（Ｓ２９１５）
【０２１７】
そして、ＭＦＰ１ａでは、操作表示制御部１０２は、生成日時が新しい方のカスタマイズ設定情報に基づき、操作表示部１０１のＬＣＤにカスタム画面を表示する（Ｓ２９１６）。
【０２１８】
このように、本実施形態に係るプログラム配信システムによれば、ホーム画面カスタマイズ設定情報を保存しているＭＦＰとは異なる他のＭＦＰや、カスタマイズ設定情報管理サーバ６とは異なるネットワークに接続されているＭＦＰにおいてカスタム画面の変更操作が行われても、その変更内容を容易に反映させることが可能となる。
【０２１９】
次に、本実施形態に係るＭＦＰ１ｂにおいてユーザがホーム画面カスタマイズ機能を利用する際の処理について、図３０を参照して説明する。図３０は、本実施形態に係るＭＦＰ１ｂにおいてユーザがホーム画面カスタマイズ機能を利用する際の処理を説明するためのシーケンス図である。
【０２２０】
尚、図３０においては、モバイル端末２、カスタマイズ設定情報管理サーバ６には、図２８に示すカスタマイズ設定情報を保存されていることを前提としている。また、図３０においては、ＭＦＰ１ｂにおいてユーザがホーム画面カスタマイズ機能を利用する際の処理について説明するが、ＭＦＰ１ａにおいて利用する場合も同様である。
【０２２１】
図３０に示すように、本実施形態に係るＭＦＰ１ｂにおいてユーザがホーム画面カスタマイズ機能を利用する際にはまず、ユーザは、ＭＦＰ１ａに対してカスタマイズ設定機能利用操作を行う（Ｓ３００１）。
【０２２２】
そして、ＭＦＰ１ａとモバイル端末２とが近距離通信の接続を確立すると（Ｓ３００２）、ＭＦＰ１ａでは、カスタマイズ設定情報取得要求部１１３は、モバイル端末２に対してカスタマイズ設定情報取得要求を行う（Ｓ３００３）。
【０２２３】
そして、モバイル端末２では、近距離通信制御部２１０は、カスタマイズ設定情報記憶部２１２に記憶されているカスタマイズ設定情報をＭＦＰ１ａに送信する（Ｓ３００４）。
【０２２４】
そして、ＭＦＰ１ａでは、カスタマイズ設定情報取得要求部１１３は、モバイル端末２から取得したカスタマイズ設定情報のカスタマイズ設定情報識別子と同じカスタマイズ設定情報識別子が付与されたカスタマイズ設定情報の取得要求をカスタマイズ設定情報管理サーバ６に対して行う（Ｓ３００５）。
【０２２５】
そして、カスタマイズ設定情報管理サーバ６では、カスタマイズ設定情報配信部６０２は、ＭＦＰ１ａからのカスタマイズ設定情報取得要求に応じたカスタマイズ設定情報をカスタマイズ設定情報記憶部６０３から検索し、検索したカスタマイズ設定情報をカスタマイズ設定情報取得要求の要求元であるＭＦＰ１ａに送信する（Ｓ３００６）。
【０２２６】
そして、ＭＦＰ１ａでは、カスタマイズ設定情報取得要求部１１３は、モバイル端末２、カスタマイズ設定情報管理サーバ６から取得したカスタマイズ設定情報の生成日時を比較する（Ｓ３００７）。
【０２２７】
そして、ＭＦＰ１ａでは、カスタマイズ設定情報取得要求部１１３は、生成日時が等しいため、カスタマイズ設定情報を解析して（Ｓ３００８）、自身が保有していないアイコン画像とアプリとを取得するために、カスタマイズ設定情報管理サーバ６に対してアイコン画像取得要求、アプリ取得要求を行う（Ｓ３００８〜Ｓ３０１０）。
【０２２８】
このように、本実施形態に係るＭＦＰ１ｂは、モバイル端末２、カスタマイズ設定情報管理サーバ６から取得したカスタマイズ設定情報の生成日時が等しい場合、モバイル端末２やプログラム配信サーバ３、アイコン画像配信サーバ８からアプリやアイコン画像を取得する代わりに、カスタマイズ設定情報管理サーバ６に保存されているものを利用するようになっている。
【０２２９】
本実施形態に係るＭＦＰ１ｂは、このような処理により、毎回、モバイル端末２やプログラム配信サーバ３、アイコン画像配信サーバ８と通信を行うことなく、常に最新のカスタム画面を提供することが可能となる。
【０２３０】
そして、ＭＦＰ１ｂでは、操作表示制御部１０２は、取得したカスタマイズ設定情報に基づき、操作表示部１０１のＬＣＤにカスタム画面を表示する（Ｓ３０１１）。
【０２３１】
以上、説明したように、本実施形態に係るプログラム配信システムによれば、ホーム画面カスタマイズ設定情報を保存しているＭＦＰとは異なる他のＭＦＰや、カスタマイズ設定情報管理サーバ６とは異なるネットワークに接続されているＭＦＰにおいても、ホーム画面カスタマイズ機能を利用することが可能となる。
【０２３２】
尚、本実施形態においては、カスタマイズ設定情報管理サーバ６を備えているプログラム配信システムについて説明したが、カスタマイズ設定情報管理サーバ６を備えないで、各ＭＦＰ１がカスタマイズ設定情報管理サーバ６と同様の機能を備えるように構成されていても良い。
【符号の説明】
【０２３３】
１  第一の情報処理装置、ＭＦＰ
２  第二の情報処理装置、モバイル端末
３  プログラム配信サーバ
４  ネットワーク
５  近距離通信回線
６  カスタマイズ設定情報管理サーバ
７  プロキシサーバ
８  アイコン画像配信サーバ
９  ネットワーク
１０  ＣＰＵ
１１  公衆回線
２０  ＲＡＭ
３０  ＲＯＭ
４０  ＨＤＤ
５０  操作表示装置Ｉ／Ｆ
５１  操作表示装置
６０  専用デバイスＩ／Ｆ
６１  専用デバイス
７０  ネットワークＩ／Ｆ
８０  近距離通信Ｉ／Ｆ
９０  外部Ｉ／Ｆ
１００  バス
１０１  操作表示部
１０２  操作表示制御部
１０３  プログラム記憶部
１０４  プログラム実行部
１０５  データ記憶部
１０６  インストール要求部
１０７  データ検索部
１０８  近距離通信制御部
１０９  詳細設定情報記憶部
１１０  アイコン画像記憶部
１１１  アイコン設定情報記憶部
１１２  カスタマ椅子設定情報生成部
１１３  カスタマイズ設定情報取得要求部
１１４  アイコン画像配置情報記憶部
１１５  カスタマイズ設定情報記憶部
２０１  操作表示部
２０２  操作表示制御部
２０３  装置構成情報記憶部
２０４  プログラム配信要求部
２０５  ネットワーク制御部
２０６  インストール部
２０７  プログラム記憶部
２０８  プログラム実行部
２０９  データ取得要求部
２１０  近距離通信制御部
２１１  カスタマイズ設定情報取得要求部
２１２  カスタマイズ設定情報記憶部
３０１  ネットワーク制御部
３０２  プログラム配信部
３０３  プログラム記憶部
６０１  ネットワーク制御部
６０２  カスタマイズ設定情報配信部
６０３  カスタマイズ設定情報記憶部
６０４  カスタマイズ設定情報記憶制御部
８０１  ネットワーク制御部
８０２  アイコン画像配信部
８０３  アイコン画像記憶部
【先行技術文献】
【特許文献】
【０２３４】
【特許文献１】特開２０１４−０８５９６８号公報
【図１】
0006578953.tif 000002
【図２】
0006578953.tif 000003
【図３】
0006578953.tif 000004
【図４】
0006578953.tif 000005
【図５】
0006578953.tif 000006
【図６】
0006578953.tif 000007
【図７】
0006578953.tif 000008
【図８】
0006578953.tif 000009
【図９】
0006578953.tif 000010
【図１０】
0006578953.tif 000011
【図１１】
0006578953.tif 000012
【図１２】
0006578953.tif 000013
【図１３】
0006578953.tif 000014
【図１４】
0006578953.tif 000015
【図１５】
0006578953.tif 000016
【図１６】
0006578953.tif 000017
【図１７】
0006578953.tif 000018
【図１８】
0006578953.tif 000019
【図１９】
0006578953.tif 000020
【図２０】
0006578953.tif 000021
【図２１】
0006578953.tif 000022
【図２２】
0006578953.tif 000023
【図２３】
0006578953.tif 000024
【図２４】
0006578953.tif 000025
【図２５】
0006578953.tif 000026
【図２６】
0006578953.tif 000027
【図２７】
0006578953.tif 000028
【図２８】
0006578953.tif 000029
【図２９】
0006578953.tif 000030
【図３０】
0006578953.tif 000031